(57)【要約】【課題】得られる映像から被写体がどの向きを向いているのかを確実に把握することができる内視鏡及び内視鏡用向き把握具を提供する。【解決手段】向き把握具１は、内部に比重の大小異なる複数の物質８，９を収容した容器部７を備え、それら物質８，９の比重の差によって重力で比重の大きい物質８が下、比重の小さい物質９が上に位置するようになされている。そして、内視鏡２の先端挿通管３への取付け部１０を備え、この向き把握具１を先端挿通管３に取り付けた状態で、上記の物質８，９の相対位置関係が被写体１５の映像１１とともに映し出されるようになされている。【選択図】　　　図１
2004004213.tif 000002
【特許請求の範囲】
【請求項１】
内部に比重の大小異なる複数の物質を収容した容器部が内視鏡先端挿通管に備えられ、これら物質の比重の差によって重力で比重の大きい物質が下、比重の小さい物質が上に位置するようなされており、これら物質の相対位置関係が、被写体の映像とともに映し出されるようになされていることを特徴とする内視鏡。
【請求項２】
内部に比重の大小異なる複数の物質を収容した容器部が備えられ、それら物質の比重の差によって重力で比重の大きい物質が下、比重の小さい物質が上に位置するようになされており、かつ、
内視鏡先端挿通管への取付け部を備え、同挿通管に取り付けた状態で、前記物質の相対位置関係が、被写体の映像とともに映し出されるようになされていることを特徴とする内視鏡用向き把握具。
【発明の詳細な説明】
【０００１】
【発明の属する技術分野】
本発明は、内視鏡及び内視鏡用向き把握具に関する。
【０００２】
【従来の技術及び課題】
例えば建物などにおいて、内部の隠された部分を内視鏡で検査することが行われるが、図３に示すように、内視鏡５１では、内部の隠れた部分に存在する物体５２の映像５３を得ることはできるが、その映像５３から物体５２がどの向きを向いているのかを把握するのが困難ないし不可能な場合がある。
【０００３】
本発明は、上記のような問題点に鑑み、得られる映像から被写体がどの向きを向いているのかを確実に把握することができる内視鏡及び内視鏡用向き把握具を提供することを課題とする。
【０００４】
【課題を解決するための手段】
上記の課題は、内部に比重の大小異なる複数の物質を収容した容器部が内視鏡先端挿通管に備えられ、これら物質の比重の差によって重力で比重の大きい物質が下、比重の小さい物質が上に位置するようなされており、これら物質の相対位置関係が、被写体の映像とともに映し出されるようになされていることを特徴とする内視鏡によって解決される。
【０００５】
この内視鏡では、被写体の映像とともに映し出される複数の物質の相対位置関係から、比重の大きい物質の存在する側を下、比重の小さい物質の存在する側を上と認識することができ、それによって、被写体がどの向きを向いているのかを、得られる映像から確実に把握することができる。
【０００６】
また、上記の課題は、内部に比重の大小異なる複数の物質を収容した容器部が備えられ、それら物質の比重の差によって重力で比重の大きい物質が下、比重の小さい物質が上に位置するようになされており、かつ、
内視鏡先端挿通管への取付け部を備え、同挿通管に取り付けた状態で、前記物質の相対位置関係が、被写体の映像とともに映し出されるようになされていることを特徴とする内視鏡用向き把握具によっても解決される。
【０００７】
【発明の実施の形態】
次に、本発明の実施形態を図面に基づいて説明する。
【０００８】
図１（イ）（ロ）に示す第１実施形態において、１は向き把握具、２は内視鏡であり、内視鏡２において、３は先端挿通管、４は可撓管、５は映像覗き部である。
【０００９】
向き把握具１は、図１（イ）に示すように、筒部６を備え、この筒部６の一端開口部にその内周に沿うようにして円環状の容器部７が備えられ、この容器部７内に水等の液体８と、この液体８よりも比重の小さい空気等の気体９とが密封状態に収容されている。気体９は液体８との関係で気泡を形成するような容積関係において入れられている。
【００１０】
そして、向き把握具１の筒部６の他端側１０は、内視鏡先端挿通管３への取付け部となっていて、この筒状取付け部１０は、先端挿通管３の先端部外周に嵌合することで一体的に取り付けることができるようになっており、取付け状態において、図１（ロ）に示すように、映像１１ととともに、この映像１１の周囲を囲むようにして、容器部７内の液体８と気泡９とが映し出されるようになされている。
【００１１】
向き把握具１と内視鏡先端挿通管３との結合は、螺合によるものなどであってもよいし、弾力を利用した嵌合によるものなどであってもよい。後者の弾力利用の嵌合による場合などには、向き把握具１を既存の内視鏡２に後付けで備えさせることができて、内視鏡２への向き把握具１の取付けを安価に行うことができる。また、向き把握具１は内視鏡先端挿通管３に対し回転方向において特定の向きに向くように取り付けておかなければならないというようなことはなく、回転方向におけるどの向きを向いて取り付けられていてもよい。
【００１２】
向き把握具１を取り付けた内視鏡２を用い、図１（ロ）に示すように、内視鏡２の先端挿通管３を、壁１２に明けられた孔１４を通じて壁１２の内部に挿入すると、そこに隠れていた管１５が、容器部７内の液体８及び気泡９とともに映し出される。図面に示す映像１１では、管が横向きになって映し出されているが、気泡９は左に位置しており、気泡９の位置から左が上で、管１５は、壁１２の背後で開口端を上向きにして隠れていると把握することができる。
【００１３】
図２（イ）に示す第２実施形態の向き把握具１は、円環状容器部７内に、容器部７内の気体１６よりも比重の大きいおもり玉１７が公転自在に入れられているものである。この向き把握具１では、おもり玉１７の存在する位置を下とみて被写体１５の向きを把握することができる。
【００１４】
また、図２（ロ）に示す第３実施形態の向き把握具１は、円環状容器部７内に、比重が大小異なると共に色の異なる２種類の液体１８，１９が密封状態に入れられているものである。この向き把握具１では、比重の小さい液体１９を上、比重の大きい液体１８を下とみて、被写体１５の向きを把握することができる。
【００１５】
図２（ハ）に示す第４実施形態の向き把握具１は、側視用のもので、円環状容器部７が筒部６の端部にではなく、周壁の側面部分に備えられ、円環状容器部７内に、第３実施形態の場合と同様に、比重が大小異なると共に色の異なる２種類の液体１８，１９が密封状態に入れられているものである。この向き把握具１は、側視用の内視鏡先端挿通管に取り付けて側視できるように構成されているものであってもよいし、あるいは、一般的な前方視用の内視鏡の先端挿通管に取り付けて側視できるように構成されているものであってもよい。
【００１６】
以上に、本発明の実施形態を示したが、本発明はこれに限られるものではなく、発明思想を逸脱しない範囲で、各種の変更が可能である。例えば、上記の実施形態では、向き把握具１が内視鏡２とは別の部品として製作され、この向き把握具１を内視鏡２に取り付けて用いるようにした場合を示しているが、向き把握具１の向き把握機構が先端挿通管３に一体的に組み込まれている内視鏡として構成されていてもよい。また、上記の実施形態では映像覗き部５を備えた内視鏡２に適用した場合を示しているが、ディスプレイに映像を映し出す構成の内視鏡に用いられてもよい。また、映像は、静止画であってもよいし、動画であってもよい。また、上記の各実施形態で比重の大小異なる物質の組合せの例をいくつか示したが、本発明はこれらに限られるものではなく、気体、液体、固体などによる種々の物質の組合せであってよい。更に、上記の実施形態では、容器部として円環状のものを用いた場合を示しているが、比重の異なる物質を収容し、それらの相対位置関係によって上下方向を把握できるような形態の容器部であればよい。
【００１７】
【発明の効果】
本発明の内視鏡及び内視鏡用向き把握具は、以上のとおりのものであるから、得られる映像から被写体がどの向きを向いているのかを確実に把握することができる。
【図面の簡単な説明】
【図１】第１実施形態を示すもので、図（イ）は内視鏡と向き把握具とを分離状態にして示す斜視図、図（ロ）は使用方法の説明図である。
【図２】図（イ）は第２実施形態の向き把握具を示す斜視図、図（ロ）は第３実施形態の向き把握具を示す斜視図、図（ハ）は第４実施形態の向き把握具を示す斜視図である。
【図３】従来例を示すもので、内視鏡を用いた検査方法の説明図である。
【符号の説明】
１…向き把握具
２…内視鏡
３…先端挿通管
７…容器部
８…液体（比重大の物質）
９…気泡（比重小の物質）
１０…取付け部
１１…映像
１５…管（被写体）
【図１】
2004004213.tif 000003
【図２】
2004004213.tif 000004
【図３】
2004004213.tif 000005